(57)【要約】【課題】  Ｗｅｂサイトを利用する際に、Ｗｅｂサイトの得意のコンテンツを先に閲覧させる。【解決手段】  本発明は、リンク先が同じで件数が多いものや異なるアンカーからリンクがあるほど、Ｗｅｂサイトから着目してほしいページであると推定する。また、時間経過によるアンカーの表現の変化があると着目するページと推定する。【選択図】  図１
2006107386.tif 000002
【特許請求の範囲】
【請求項１】
検索キーを入力して検索目的に適合したＷｅｂサイトの選択を行い、Ｗｅｂサイトを閲覧する際に、Ｗｅｂサイトの得意コンテンツを自動的に提示するＷｅｂサイト閲覧支援装置上における、Ｗｅｂサイト閲覧支援方法において、
入力された、ＷｅｂサイトのＷｅｂページのアンカーであるキーワードに相当するものに対して、複数のアンカーによって同じリンク先のコンテンツをリンクするアンカーの表現パターンを、記憶手段に格納されている複数のアンカーによって同じリンク先のコンテンツをリンクするアンカーの表現パターンを検出するための表現検出規則を用いて検出する得意コンテンツ検出ステップと、
前記得意コンテンツ検出ステップにおいて検出された、前記複数のアンカーによって同じリンク先のコンテンツをリンクするアンカーの表現パターンに対して、記憶手段に格納されている時系列の変化パターンを記述した活動検出規則を用いて、Ｗｅｂサイトの得意コンテンツの判定を行う、得意コンテンツ判定ステップと、
前記得意コンテンツ判定ステップで得られた得意コンテンツ判定結果を出力する出力ステップと、
を行うことを特徴とするＷｅｂサイト閲覧支援方法。
【請求項２】
前記出力ステップは、
前記得意コンテンツ検出ステップで取得した前記複数のアンカーによって同じリンク先のコンテンツをリンクするアンカーの表現パターンを得意コンテンツ判定結果として出力する請求項１記載のＷｅｂサイト閲覧支援方法。
【請求項３】
検索キーを入力して検索目的に適合したＷｅｂサイトの選択を行い、Ｗｅｂサイトを閲覧する際に、Ｗｅｂサイトの得意コンテンツを自動的に提示するＷｅｂサイト閲覧支援装置であって、
複数のアンカーによって同じリンク先のコンテンツをリンクするアンカーの表現パターンを検出するための表現検出規則を格納した表現検出規則記憶手段と、
時系列の変化パターンを記述した活動検出規則を格納した活動規則記憶手段と、
ＷｅｂサイトのＷｅｂページのアンカーであるキーワードを含むアンカーリストを取得するアンカーリスト取得手段と、
取得した、前記ＷｅｂサイトのＷｅｂページのアンカーであるキーワードに相当するものに対して、複数のアンカーによって同じリンク先のコンテンツをリンクするアンカーの表現パターンを、前記表現検出規則記憶手段の前記表現検出規則を用いて検出する得意コンテンツ検出手段と、
前記得意コンテンツ検出手段において検出された、前記複数のアンカーによって同じリンク先のコンテンツをリンクするアンカーの表現パターンに対して、前記活動規則記憶手段の前記活動検出規則を用いて、Ｗｅｂサイトの得意コンテンツの判定を行う、得意コンテンツ判定手段と、
前記得意コンテンツ判定手段で得られた得意コンテンツ判定結果を出力する出力手段と、を有することを特徴とするＷｅｂサイト閲覧支援装置。
【請求項４】
前記出力手段は、
前記得意コンテンツ検出手段で得られた、複数のアンカーによって同じリンク先のコンテンツをリンクするアンカーの表現パターンを得意コンテンツ判定結果として出力する請求項３記載のＷｅｂサイト閲覧支援装置。
【請求項５】
検索キーを入力して検索目的に適合したＷｅｂサイトの選択を行い、Ｗｅｂサイトを閲覧する際に、Ｗｅｂサイトの得意コンテンツを自動的に提示するＷｅｂサイト閲覧支援プログラムであって、
請求項１乃至２記載のＷｅｂサイト閲覧支援方法を実現させるための処理をコンピュータに実行させることを特徴とするＷｅｂサイト閲覧支援プログラム。
【発明の詳細な説明】
【技術分野】
【０００１】
本発明は、Ｗｅｂサイト閲覧支援方法及び装置及びプログラムに係り、特に、Ｗｅｂサイトを閲覧する時に、利用者がＷｅｂページにある多数のアンカーからリンク先のコンテンツを推測しながらクリックし、必要なコンテンツを閲覧し、元に戻ることによりやり直し、Ｗｅｂサイトを閲覧するような状況を対象とし、スムーズにＷｅｂサイトを閲覧するためのＷｅｂサイト閲覧支援方法及び装置及びプログラムに関する。
【背景技術】
【０００２】
サイバースペースに多くのＷｅｂサイトが存在し、一つのＷｅｂサイトに大量のＷｅｂページが明確な目的によって構築されている。Ｗｅｂサイトとは、トップページ（代表ページ）とそれからリンクを辿って到達可能なページ群のうち、トップページと同一のサーバに属し、トップページとの関連が高いページを意味する。個々のＷｅｂサイトがそれぞれの意図によってＷｅｂページがデザインされ、構築され、利用者にコンテンツを提供すると考えられる。例えば、旅行の内容を紹介するコンテンツを利用者に提供する各ＷｅｂサイトのＷｅｂページは、それぞれの意図によってデザインされ、構築され、利用者に対してコンテンツを提供すると考えられる。
【０００３】
サイバースペースに対して、利用者のニーズや目的によって検索を行ない、検索結果をＷｅｂサイト単位で出力することにより、検索結果を閲覧や利用し易くする方法として知られている。この方法を利用した装置では、Ｗｅｂページ検索システムへの検索要求にヒットしたＷｅｂページ単位の検索結果を、検索要求に適合している順番にサイト単位で出力する（例えば、特許文献１参照）。
【０００４】
また、Ｗｅｂサイトのトップページを的確に推定し、このトップページから検索目的に適合したＷｅｂサイト単位の情報検索ができるようにする（例えば、特許文献２参照）。
【０００５】
これらの技術を利用することにより、Ｗｅｂページ検索システムへ検索のクエリを出すだけで、検索目的に適合したＷｅｂサイトを選択でき、ＷｅｂサイトのトップページからＷｅｂサイトを閲覧することができる。
【０００６】
また、Ｗｅｂサイトを閲覧しやすいように、Ｗｅｂページに含まれるアンカーを分かり易く表示する方法がある。この方法を用いた装置では、入力したＵＲＬに対応する文書に含まれているＨＴＭＬファイルのみをネットワーク上のサーバから取得し、取得したＨＴＭＬファイルに含まれているアンカーをそのアンカーに対応するリンク先のＵＲＬに関連付け、当該ＨＴＭＬファイルに含まれている全てのアンカーをリスト表示することにより、Ｗｅｂサイトの閲覧を支援する。
【特許文献１】特開２００３−１８６９０１「Ｗｅｂサイト検索方法とシステム、並びに、この方法の実行プログラムとこの方法の実行プログラムを記録した記録媒体」
【特許文献２】特開２００３−１８６７３１「Ｗｅｂサイトのトップページ推定装置、トップページ推定方法、この方法のプログラム、このプログラムを記録した記録媒体」
【発明の開示】
【発明が解決しようとする課題】
【０００７】
利用者が目当てのＷｅｂサイトを閲覧する場合、トップページから閲覧することが多い。Ｗｅｂサイトのトップページは、サイトの内容を如何に分かり易くすることを考えて、情報を載せる性質を持っている（例えば、資料「TOＰページデザイン」若林尚樹  東京工科大学、情報．システムサイエティ誌第８巻第３号）。Ｗｅｂサイトのトップページに沢山のアンカーが含まれることも珍しくない（例：１００個から２００個ぐらいのアンカーが含まれること）。利用者が沢山のアンカーからリンク先のコンテンツを推測しながらクリックし、必要なコンテンツを閲覧したり、元に戻ることによりやり直し、Ｗｅｂサイトを閲覧していくことが基本的な閲覧方法である。
【０００８】
ところで、複数のアンカーによって、同じリンク先のコンテンツをリンクすることがよくある。アンカーであるキーワードに相当するものは、それぞれ単語や語句で表現したり、画像のサムネイルによって表現したり、複数のアンカーによって同じリンク先を表現する。利用者がこれらのアンカーに対して、推測しながら閲覧するという方法を採っているため、スムーズにＷｅｂサイトのコンテンツを閲覧できないという面倒なことに遭遇する。
【０００９】
例えば、あるＷｅｂサイトのトップページに図１７に示すような画像のサムネイルによって表現するアンカーと、「ネット限定ツアー」という語句によって表現するアンカーがある。この２つのアンカーによって同じリンク先を表現しているつもりでも、図１７に示すアンカーと「ネット限定ツアー」というアンカーがＷｅｂページの中の位置関係によって、同じリンク先を表現していると瞬間的に解釈しない場合がある。また、語句で表現している複数のアンカーの場合も、アンカーであるキーワードの異なる表現がＷｅｂページの中の位置関係によって、同じリンク先であることを瞬間的に解釈しない場合もある。このようにTopページに１００個から２００個ぐらいまでのアンカーが含まれると、複数のアンカーによって同じリンク先を表現し、利用者がこれらのアンカーに対して、推測しながら閲覧する場合、同じリンク先のコンテンツに必要以上にクリックしてしまう場合が生じ、スムーズにＷｅｂサイトのコンテンツを閲覧できないという問題がある。
【００１０】
個々のＷｅｂサイトがそれぞれの意図によってＷｅｂページがデザインされ、構築される。そこで、利用者にコンテンツを提供するため、それぞれのＷｅｂサイトに自慢できるコンテンツ、見て欲しいコンテンツ、最も力を入れて構築するコンテンツをＷｅｂサイトの得意コンテンツと呼び、注目する価値があると考えられる。
【００１１】
本発明は、上記の点に鑑みなされたもので、Ｗｅｂサイトを利用する際に、Ｗｅｂサイトの得意のコンテンツを先に閲覧させることにより、通常の閲覧方法でも、逸早くＷｅｂサイトの特徴的なコンテンツを閲覧できるように支援するためのＷｅｂサイト閲覧支援方法及び装置及びプログラムを提供することを目的とする。
【課題を解決するための手段】
【００１２】
図１は、本発明の原理を説明するための図である。
【００１３】
本発明（請求項１）は、検索キーを入力して検索目的に適合したＷｅｂサイトの選択を行い、Ｗｅｂサイトを閲覧する際に、Ｗｅｂサイトの得意コンテンツを自動的に提示するＷｅｂサイト閲覧支援装置上における、Ｗｅｂサイト閲覧支援方法において、
入力されたＷｅｂサイトのＷｅｂページのアンカーであるキーワードに相当するものに対して、複数のアンカーによって同じリンク先のコンテンツをリンクするアンカーの表現パターンを、記憶手段に格納されている複数のアンカーによって同じリンク先のコンテンツをリンクするアンカーの表現パターンを検出するための表現検出規則を用いて検出する得意コンテンツ検出ステップ（ステップ１）と、
得意コンテンツ検出ステップにおいて検出された、複数のアンカーによって同じリンク先のコンテンツをリンクするアンカーの表現パターンに対して、記憶手段に格納されている時系列の変化パターンを記述した活動検出規則を用いて、Ｗｅｂサイトの得意コンテンツの判定を行う、得意コンテンツ判定ステップ（ステップ２）と、
得意コンテンツ判定ステップで得られた得意コンテンツ判定結果を出力する出力ステップ（ステップ３）と、を行う。
【００１４】
また、本発明（請求項２）は、出力ステップにおいて、
前記得意コンテンツ検出ステップで取得した前記複数のアンカーによって同じリンク先のコンテンツをリンクするアンカーの表現パターンを得意コンテンツ判定結果として出力する。
【００１５】
図２は、本発明の原理構成図である。
【００１６】
本発明（請求項３）は、検索キーを入力して検索目的に適合したＷｅｂサイトの選択を行い、Ｗｅｂサイトを閲覧する際に、Ｗｅｂサイトの得意コンテンツを自動的に提示するＷｅｂサイト閲覧支援装置であって、
複数のアンカーによって同じリンク先のコンテンツをリンクするアンカーの表現パターンを検出するための表現検出規則を格納した表現検出規則記憶手段５１１と、
時系列の変化パターンを記述した活動検出規則を格納した活動規則記憶手段５２１と、
ＷｅｂサイトのＷｅｂページのアンカーであるキーワードを含むアンカーリストを取得するアンカーリスト取得手段３と、
取得された、ＷｅｂサイトのＷｅｂページのアンカーであるキーワードに相当するものに対して、複数のアンカーによって同じリンク先のコンテンツをリンクするアンカーの表現パターンを、表現検出規則記憶手段５１１の表現検出規則を用いて検出する得意コンテンツ検出手段５１と、
得意コンテンツ検出手段５１において検出された、複数のアンカーによって同じリンク先のコンテンツをリンクするアンカーの表現パターンに対して、活動規則記憶手段５２１の活動検出規則を用いて、Ｗｅｂサイトの得意コンテンツの判定を行う、得意コンテンツ判定手段５２と、
得意コンテンツ判定手段５２で得られた得意コンテンツ判定結果を出力する出力手段４と、を有する。
【００１７】
また、本発明（請求項４）は、出力手段４において、
得意コンテンツ検出手段５１で得られた、複数のアンカーによって同じリンク先のコンテンツをリンクするアンカーの表現パターンを得意コンテンツ判定結果として出力する。
【００１８】
本発明（請求項５）は、検索キーを入力して検索目的に適合したＷｅｂサイトの選択を行い、Ｗｅｂサイトを閲覧する際に、Ｗｅｂサイトの得意コンテンツを自動的に提示するＷｅｂサイト閲覧支援プログラムであって、
請求項１乃至２記載のＷｅｂサイト閲覧支援方法を実現させるための処理をコンピュータに実行させるプログラムである。
【発明の効果】
【００１９】
上記のように、本発明によれば、Ｗｅｂサイトを閲覧する際に、Ｗｅｂサイトの得意コンテンツを先に閲覧させることにより、通常の閲覧方法でも、逸早くＷｅｂサイトの特徴的なコンテンツを閲覧することができる。また、利用者にＷｅｂサイトを選択する客観的な材料を提供することにより、利用者の主体性を積極的にサポートし、Ｗｅｂサイト側の提供されたコンテンツを利用し易くすることが可能となる。
【００２０】
上記のように、Ｗｅｂサイトの特徴を逸早く掴めることにより、Ｗｅｂサイトが提供する得意コンテンツの利用率を向上させ、パーソナルコンピュータと携帯電話とを融合させるサービスの拡大と可能性を向上させることができる。
【発明を実施するための最良の形態】
【００２１】
以下、図面と共に本発明の実施の形態を説明する。
【００２２】
本発明は、ＷｅｂサイトのＷｅｂページのアンカーであるキーワードに相当するものに対して、複数のアンカーによって同じリンク先のコンテンツをリンクするアンカーの表現パターンを自動的に検出し、検出された複数のアンカーによって同じリンク先のコンテンツをリンクするアンカーの表現パターンに対して、時系列の変化パターンによりＷｅｂサイトの得意コンテンツを判定するものである。
【００２３】
図３は、本発明の一実施の形態におけるＷｅｂサイト閲覧支援装置の構成を示す。
【００２４】
同図に示す装置は、入力部１、Ｗｅｂサイト検索部２、閲覧支援部３、表示部４、及び本発明の要部である得意コンテンツ提示支援部５から構成される。
【００２５】
図４は、本発明の一実施の形態におけるＷｅｂサイト閲覧支援装置の詳細な構成を示す。
【００２６】
入力部１は、利用者からの検索キーの入力を受け付け、Ｗｅｂサイト検索部２に転送する。
【００２７】
Ｗｅｂサイト検索部２には、Ｗｅｂサイト検索手順記憶部２１、Ｗｅｂサイト検索結果ファイル２２が接続され、入力部１から入力された検索キーに基づいて、Ｗｅｂサイト検索手順記憶部２１に格納されているＷｅｂ検索手順を参照し、検索目的に適合したＷｅｂサイトの選択を行い、Ｗｅｂサイトを検索した結果をＷｅｂサイト検索結果ファイル２２に格納すると共に、閲覧支援部３に転送する。
【００２８】
閲覧支援部３には、アンカーリスト作成手順記憶部３１とアンカーリスト結果ファイル３２が接続され、Ｗｅｂサイト検索部２から取得したＷｅｂサイトの検索結果に基づいて、アンカーリスト作成手順記憶部３１に格納されているアンカーリスト作成手順を参照し、アンカーを表現するキーワード、アンカーID、アンカーのリンクのURLからなるアンカーリストを作成し、アンカーリスト結果ファイル３２に格納し、その内容と共に、Ｗｅｂサイト検索部２から取得したＷｅｂサイト検索結果を、得意コンテンツ提示支援部５に転送する。
【００２９】
得意コンテンツ提示支援部５は、得意コンテンツ検出部５１と得意コンテンツ判定部５２を有し、得意コンテンツ検出部５１には、複数のアンカーによって同じリンク先のコンテンツをリンクするアンカーの表現パターンを検出するための表現検出規則を格納した表現検出規則記憶部５１１、表現検出結果ファイル５１２が接続され、得意コンテンツ判定部５２には、時系列の変化パターンが記述された活動判定規則を格納した活動判定規則記憶部５２１と得意コンテンツ判定結果ファイル５２２が接続される。
【００３０】
得意コンテンツ提示支援部５の得意コンテンツ検出部５１は、閲覧支援部３から転送されたアンカーリスト結果と、Ｗｅｂサイト検索結果に基づいて、表現検出規則記憶部５１１を参照し、複数のアンカーによって同じリンク先のコンテンツをリンクするアンカーの表現パターンを検出し、その結果を表現検出結果ファイル５１２に格納し、Ｗｅｂサイト検索結果と共に、検出したアンカーの表現パターンを得意コンテンツ判定部５２に転送する。つまり、得意コンテンツ検出部５１では、リンク先が同じで件数の多いものや、異なるアンカーからのリンクが多いものを得意コンテンツのページと推定する。
【００３１】
得意コンテンツ判定部５２は、活動検出規則記憶部５２１を参照し、時系列の変化パターンによりＷｅｂサイトの得意コンテンツを判定し、結果を得意コンテンツ判定結果ファイル５２２に格納すると共に、閲覧支援部３を介して表示部４に転送する。つまり、得意コンテンツ判定部５２では、時間経過によるアンカーの表現に変化があると得意コンテンツのページであると推定する。
【００３２】
次に、上記のＷｅｂサイト閲覧支援装置の動作を説明する。
【００３３】
図５は、本発明の一実施の形態における全体の動作のフローチャートである。
【００３４】
ステップ１００）入力部１から例えば、『国内旅行』という検索キーが入力されると、入力部１は、当該検索キーをＷｅｂサイト検索部２に転送する。
【００３５】
ステップ２００）  Ｗｅｂサイト検索部２は、検索キー『国内旅行』に基づいて、Ｗｅｂサイト検索手順記憶部２１を参照し、Ｗｅｂサイト検索結果を生成し、Ｗｅｂサイト検索結果ファイル２２に格納すると共に、閲覧支援部３に転送する。
【００３６】
ステップ３００）  閲覧支援部３は、Ｗｅｂサイト検索部２から取得したＷｅｂサイト検索結果に基づいて、アンカーリスト作成手順記憶部３１を参照し、アンカーリスト結果を生成し、アンカーリスト結果ファイル３２に格納すると共に、得意コンテンツ提示支援部５に転送する。
【００３７】
ステップ４００）  得意コンテンツ提示支援部５は、表現検出規則記憶部５１１と活動判定規則記憶部５２１を参照して、得意コンテンツを判定し、その結果を閲覧支援部３を介して表示部４に転送する。
【００３８】
次に上記の各ステップの処理を詳細に説明する。
【００３９】
最初に、Ｗｅｂサイト検索部２の動作を説明する。
【００４０】
図６は、本発明の一実施の形態におけるＷｅｂサイト検索部の動作のフローチャートである。
【００４１】
ステップ２０１）  Ｗｅｂサイト検索部２は、Ｗｅｂサイト検索手順記憶部２１に格納されているＷｅｂサイト検索手順を用いて、入力部１より転送された検索キー『国内旅行』を対象に、検索目的に適合したＷｅｂサイトの選択を行い、Ｗｅｂサイト名、ＷｅｂサイトID、Ｗｅｂサイト得点、ＷｅｂサイトTOPページURLを作成し、その結果を、Ｗｅｂサイト検索結果ファイル２２に格納する。
【００４２】
ステップ２０２）  Ｗｅｂサイト検索部２は、作成されたＷｅｂサイト検索結果を閲覧支援部３に転送する。
【００４３】
例えば、Ｗｅｂサイト検索部２は、転送された入力キー『国内旅行』を対象に、Ｗｅｂサイト検索手順記憶部２１に格納されているＷｅｂサイト検索手順を用いて、図７に示すようなＷｅｂサイト名、ＷｅｂサイトID、Ｗｅｂサイト得点、ＷｅｂサイトTOPページURLからなる出力情報を作成し、Ｗｅｂサイト検索結果ファイル２２に格納し、閲覧支援部３に転送する。
【００４４】
次に、閲覧支援部３の動作を説明する。
【００４５】
図８は、本発明の一実施の形態における閲覧支援部の動作のフローチャートである。
【００４６】
ステップ３０１）  閲覧支援部３は、アンカー作成手順記憶部３１に格納されているアンカー作成手順を参照し、Ｗｅｂサイト検索部２から転送されたＷｅｂサイト検索結果ファイル２２の内容を対象に、アンカーを表現するキーワード、アンカーID、アンカーのリンクのURLからなるアンカーリスト結果を作成し、アンカーリスト結果ファイル３２に格納する。
【００４７】
ステップ３０２）  アンカーリスト結果を得意コンテンツ提示支援部５に転送する。
【００４８】
具体的には、閲覧支援部３は、例えば、Ｗｅｂサイト検索部２から検索キー『国内旅行』に対する図７に示すようなＷｅｂサイトの検索結果を取得する。図９（ａ）は、『AA旅行』というサイトのTOPページのイメージ例であり、ここでは、TOPページに６つのアンカーがあるとする。図９（ｂ）は、図７のようなWebサイト検索部２から転送された情報（Ｗｅｂサイト名、ＷｅｂサイトID、Ｗｅｂサイト得点、ＷｅｂサイトTOPページURL）を対象に、アンカーリスト作成手順記憶部３１の作成手順を用いて、図９（ｂ）示すような、アンカーを表現するキーワード、アンカーID、アンカーのリンクのURLからなる情報を作成し、結果をアンカーリスト結果ファイル３２に格納すると共に、Ｗｅｂサイト検索結果ファイル２２の内容と一緒に得意コンテンツ提示支援部５に転送する。
【００４９】
図７の『AA旅行』サイト以外のＷｅｂサイトに対しても同様な処理を行う。例えば、順次、『BB旅行』サイトに対して、同様な処理を行う。
【００５０】
次に、得意コンテンツ提示支援部５の動作を説明する。
【００５１】
図１０は、本発明の一実施の形態における得意コンテンツ検出部の動作のフローチャートであり、図１１は、本発明の一実施の形態における表現検出規則の記述例である。
【００５２】
ステップ４０１）  得意コンテンツ提示支援部５の得意コンテンツ検出部５１は、閲覧支援部３から転送されたアンカーリスト結果ファイル３２の内容と、Ｗｅｂサイト検索結果ファイル２２の内容を対象に、図１１に示す表現検出規則記憶部５１１の表現検出規則を用いて、複数のアンカーによって同じリンク先のコンテンツをリンクするアンカーの表現パターンを検出し、結果を表現結果ファイル５１２に格納する。
【００５３】
ステップ４０２）  得意コンテンツ検出部５１は、表現結果ファイル５１２の内容を、Ｗｅｂサイト検索結果ファイル２２の内容と一緒に得意コンテンツ判定部５２に転送する。表現検出結果ファイル５１２の例を図１２に示す。同図に示すように、表現検出結果ファイル５２２に出力される情報は、アンカーを表現するキーワード、アンカーID、アンカーのリンク先のURLである。
【００５４】
図１３は、本発明の一実施の形態における得意コンテンツ判定部の動作のフローチャートであり、図１４は、本発明の一実施の形態における活動判定規則の記述例である。
【００５５】
ステップ４０３）  得意コンテンツ判定部５２は、得意コンテンツ検出部５１から表現検出結果を取得すると、図１４に示すような活動判定規則記憶部５２１の活動判定規則を用いて、時系列の変化のパターンによりＷｅｂサイトの得意コンテンツを判定し、結果を得意コンテンツ判定結果ファイル５２２に格納する。（＊活動判定規則の各項目についてもう少し詳しく御説明をお願いします）
ステップ４０４）  得意コンテンツ判定部５２は、得意コンテンツ判定結果を、閲覧支援部３を介して表示部４に転送する。
【００５６】
具体的には、得意コンテンツ検出部５１は、図９（b）のようなアンカーを表現するキーワード、アンカーID、アンカーのリンクのＵＲＬからなる情報を対象に、図１１に示すような表現検出規則５１１の記述を用いて、複数のアンカーによって同じリンク先のコンテンツをリンクするアンカーの表現パターンを検出し、結果を、図１２の表現検出結果ファイル５１２にアンカーを表現するキーワード、アンカーID、アンカーのリンクのURLからなる情報が格納される。この場合、図９（b）のようなアンカーリスト結果ファイル３２の記述例に対して、アンカーを表現するキーワードの「アンカー１」というキーワードと、アンカーを表現するキーワードの「アンカー２」というキーワードが、表現検出規則５１１に含まれなかったので淘汰され、図１２の表現検出結果ファイル５１２に示すような結果が得られ、Ｗｅｂサイト検索結果ファイル２２の内容と一緒に得意コンテンツ判定部５２に転送する。
【００５７】
次に、得意コンテンツ判定部５２は、図１４に示す活動検出規則記憶部５２１の活動検出規則を用いて、得意コンテンツ検出部５１から転送された図１２に示す表現検出結果ファイル５１２の情報（アンカーを表現するキーワード、アンカーID、アンカーのリンクのURL）と、転送されたＷｅｂサイト検索結果ファイル２２の内容を対象に、図１５に示す得意コンテンツ判定結果を得意コンテンツ判定結果ファイル５２２に格納し、表示部４に転送する。ここで、図１４に示す活動判定規則は、各項番毎に、同じリンク先のアンカーの個数、アンカーの組み合わせパターン、時系列変化パターンを有する。図１４において、時系列の変化パターンの欄に記載されている「Ｔ１」は、「キーワード１」の時系列変化の期間であり、変化の周期は２０日以上、「Ｔ２」は、「キーワード２」の時系列変化の期間であり、変化の周期は２０日以下であることを示している。また、「If Key=アンカーのURL Then T1=Data1 T2=Data2」の「Key」は、対象とするＷｅｂサイトのＷｅｂページのアンカーのリストであり、「Data１」は、対象とするＷｅｂサイトのＷｅｂページのアンカーのウォッチングデータである。この例では「キーワード１」の「T１」である。また、「Data2」は、対象とするＷｅｂサイトのＷｅｂページのアンカーのウォッチングデータである。この場合は、「キーワード１」の「T2」である。
【００５８】
例えば、得意コンテンツ判定部５２は、得意コンテンツ検出部５１から転送された図１２に示す表現結果ファイル５１２の情報（アンカーを表現するキーワード、アンカーID、アンカーのリンクのURL）と、Ｗｅｂサイトの検索結果ファイル２２の情報を対象に、アンカーを表現するキーワードの「アンカー５」というキーワードと、アンカーを表現するキーワードの「アンカー６」というキーワードが、図１５に示す得意コンテンツ判定結果の例のように、図１６に示す活動検出規則記憶部５２１の規則の「項番１」と適合し（「アンカー５」と「アンカー６」のリンク先のURLは、「www.aaa.co.jp/ax3」であり、「Key:対象とするＷｅｂサイトのＷｅｂページのアンカーのリスト表」の「項番１」の条件に適合し、その結果、活動検出規則５２１の『項番１』と適合することになる）、図１５に示す得意コンテンツ判定結果を、得意コンテンツ判定結果ファイル５２２に格納する。（＊アンダーライン（波線）の部分をもう少し詳細に説明をお願いします。図１６のアンカーの組み合わせパターン、時系列変化パターンの条件とどのようにマッチングしているのかよくわかりません。アンカー５とアンカー６のリンク先URLが同じであるので、N=2という条件に合致するところまでは理解できますが、アンカーの組み合わせパターンと時系列変化パターンとの照合をどのように行っているのか不明です）
表示部４では、閲覧支援部３を介して取得した図１５に示すような得意コンテンツ判定結果を、画面に表示する。
【００５９】
次に、上記で用いた表現検出規則と活動判定規則について詳細に説明する。
【００６０】
表現検出規則は、図１１に示すように、項番、同じリンク先のアンカーの個数、アンカーの組み合わせパターン、対象とするＷｅｂページ種別からなる。
【００６１】
また、活動判定規則は、図１４に示すように、項番、対象とするＷｅｂページ種別、同じリンク先のアンカーの個数、アンカーの組み合わせパターン、及び時系列変化パターンからなる。
【００６２】
上記の表現検出規則と活動判定規則の『項番』は、各規則の番号を示している。『同じリンク先のアンカーの個数』は、同Ｗｅｂページに同じリンク先のコンテンツをリンクするアンカーの個数を示す。『アンカーの組み合わせパターン』は、キーワードが画像と文字のようなメディアによって表現されているということを前提に、同じリンク先のコンテンツをリンクするアンカーを表現するキーワードが画像と文字の組み合わせか、文字と文字の組み合わせかなどが記載される。『対象とするＷｅｂページ種別』は、本実施の形態では、Ｔｏｐページを対象とする。
【００６３】
表現検出規則のリンク先のアンカーの個数、アンカーの組み合わせパターン、対象とするＷｅｂページ種別は、基本的に、入力された情報に対して、これらの条件に全て当てはまったものに対して、検出結果として出力する。例えば、図９において入力された情報「アンカーリスト結果例」の場合、アンカーのＩＤから「０１」と「０２」、「０３」と「０４」、「０５」と「０６」がそれぞれ同じリンク先のコンテンツをリンクするアンカーである。この場合、「０１」と「０２」、「０３」と「０４」、「０５」と「０６」のそれぞれのＮは“２”である。次に、「アンカーの組み合わせパターン」という条件については、キーワードが画像と文字の組み合わせのものは、「０３」と「０４」、「０５」と「０６」だけであるので、「０１」と「０２」がこの時点で排除される。
【００６４】
活動判定規則は、表現検出規則とほぼ同様であるが、活動判定規則の「時系列変化パターン」が表現検出規則と異なる。つまり、活動判定規則は、表現検出規則の条件に合致したものに対して、さらに、活動判定規則を機能させた上で、「時系列変化パターン」により、アンカーのキーワードの時間的な変化についてのチェックを行うものである。
【００６５】
また、上記の実施の形態では、得意コンテンツ判定部５２において活動判定規則を利用する例を示しているが、この例に限定されることなく、当該得意コンテンツ判定部５２の処理を行わずに、得意コンテンツ検出部５１が表現検出規則のみを用いて得意コンテンツを判定し、その結果を表示してもよい。
【００６６】
なお、上記の図５、図６、図８、図１０、図１３に示すフローチャートの動作をプログラムとして構築し、Ｗｅｂサイト閲覧支援装置として利用されるコンピュータにインストールし、実行させる、または、ネットワークを介して流通させることも可能である。
【００６７】
なお、本発明は、上記の実施の形態に限定されることなく、特許請求の範囲内において種々変更・応用が可能である。
【産業上の利用可能性】
【００６８】
本発明は、Ｗｅｂサイトを検索するためのシステムに適用可能である。
【図面の簡単な説明】
【００６９】
【図１】本発明の原理を説明するための図である。
【図２】本発明の原理構成図である。
【図３】本発明の一実施の形態におけるＷｅｂサイト閲覧支援装置の構成図である。
【図４】本発明の一実施の形態におけるＷｅｂサイト閲覧支援装置の詳細な構成図である。
【図５】本発明の一実施の形態における全体の動作のフローチャートである。
【図６】本発明の一実施の形態におけるＷｅｂサイト検索部の動作のフローチャートである。
【図７】本発明の一実施の形態におけるＷｅｂサイト検索結果例である。
【図８】本発明の一実施の形態における閲覧支援部の動作のフローチャートである。
【図９】本発明の一実施の形態におけるアンカーリスト結果例である。
【図１０】本発明の一実施の形態における得意コンテンツ検出部の動作のフローチャートである。
【図１１】本発明の一実施の形態における表現検出規則の記述例である。
【図１２】本発明の一実施の形態における表現検出結果ファイルの記述例である。
【図１３】本発明の一実施の形態における得意コンテンツ判定部の動作のフローチャートである。
【図１４】本発明の一実施の形態における活動判定規則の記述例である。
【図１５】本発明の一実施の形態における得意コンテンツ判定結果例である。
【図１６】本発明の一実施の形態における活動判定規則の記述例（Ｋｅｙの記述例）である。
【図１７】画像のサムネイルを示す図である。
【符号の説明】
【００７０】
１  入力部
２  Ｗｅｂサイト検索部
３  アンカーリスト取得手段、閲覧支援部
４  出力手段、表示部
５  得意コンテンツ提示支援部
２１  Ｗｅｂサイト検索手順記憶部
２２  Ｗｅｂサイト検索結果ファイル
３１  アンカーリスト作成手順記憶部
３２  アンカーリスト結果ファイル
５１  得意コンテンツ検出手段、得意コンテンツ検出部
５２  得意コンテンツ判定手段、得意コンテンツ判定部
５１１  表現検出規則記憶手段、表現検出規則記憶部
５１２  表現検出結果ファイル
５２１  活動判定規則記憶部
５２２  得意コンテンツ判定結果ファイル
【図１】
2006107386.tif 000003
【図２】
2006107386.tif 000004
【図３】
2006107386.tif 000005
【図４】
2006107386.tif 000006
【図５】
2006107386.tif 000007
【図６】
2006107386.tif 000008
【図７】
2006107386.tif 000009
【図８】
2006107386.tif 000010
【図９】
2006107386.tif 000011
【図１０】
2006107386.tif 000012
【図１１】
2006107386.tif 000013
【図１２】
2006107386.tif 000014
【図１３】
2006107386.tif 000015
【図１４】
2006107386.tif 000016
【図１５】
2006107386.tif 000017
【図１６】
2006107386.tif 000018
【図１７】
2006107386.tif 000019
【手続補正書】
【提出日】平成17年2月7日(2005.2.7)
【手続補正１】
【補正対象書類名】明細書
【補正対象項目名】００５５
【補正方法】変更
【補正の内容】
【００５５】
ステップ４０３）  得意コンテンツ判定部５２は、得意コンテンツ検出部５１から表現検出結果を取得すると、図１４に示すような活動判定規則記憶部５２１の活動判定規則を用いて、時系列の変化のパターンによりＷｅｂサイトの得意コンテンツを判定し、結果を得意コンテンツ判定結果ファイル５２２に格納する。
ステップ４０４）  得意コンテンツ判定部５２は、得意コンテンツ判定結果を、閲覧支援部３を介して表示部４に転送する。
【手続補正２】
【補正対象書類名】明細書
【補正対象項目名】００５８
【補正方法】変更
【補正の内容】
【００５８】
例えば、得意コンテンツ判定部５２は、得意コンテンツ検出部５１から転送された図１２に示す表現結果ファイル５１２の情報（アンカーを表現するキーワード、アンカーID、アンカーのリンクのURL）と、Ｗｅｂサイトの検索結果ファイル２２の情報を対象に、アンカーを表現するキーワードの「アンカー５」というキーワードと、アンカーを表現するキーワードの「アンカー６」というキーワードが、図１５に示す得意コンテンツ判定結果の例のように、図１６に示す活動検出規則記憶部５２１の規則の「項番１」と適合し（「アンカー５」と「アンカー６」のリンク先のURLは、「www.aaa.co.jp/ax3」であり、「Key：対象とするＷｅｂサイトのＷｅｂページのアンカーのリスト表」の「項番１」の条件に適合し、その結果、活動検出規則５２１の『項番１』と適合することになる）、図１５に示す得意コンテンツ判定結果を、得意コンテンツ判定結果ファイル５２２に格納する。
表示部４では、閲覧支援部３を介して取得した図１５に示すような得意コンテンツ判定結果を、画面に表示する。